【手続補正書】
【提出日】平成20年4月11日(2008.4.11)
【手続補正１】
【補正対象書類名】特許請求の範囲
【補正対象項目名】全文
【補正方法】変更
【補正の内容】
【特許請求の範囲】
【請求項１】
プログラム可能受信器であって，
無線周波数（ＲＦ）信号を受信するように構成されたＲＦ入力と，
前記ＲＦ入力に接続された第１周波数変換モジュールと，
前記ＲＦ入力に接続された第２周波数変換モジュールと，
ＲＦ周波数に選択的に同調可能なプログラム可能ＲＦ局部発振器（ＬＯ）と，
位相偏移モジュールであって，前記プログラム可能ＲＦ ＬＯに接続され，同相ＲＦ ＬＯ信号及び直交ＲＦ ＬＯ信号を発生するように構成され，前記第１周波数変換モジュール及び前記第２周波数変換モジュールをそれぞれ用いて同相ベースバンド信号及び直交ベースバンド信号を発生するために，前記同相ＲＦ ＬＯ信号を前記第１周波数変換モジュールに加え，かつ前記直交ＬＯ信号を前記第２周波数変換モジュールに加えるように構成された第１位相偏移モジュールと，
前記第１周波数変換モジュールに接続され，前記同相ベースバンド信号をろ波するように構成された第１ベースバンドフィルタと，
前記第２周波数変換モジュールに接続され，前記直交ベースバンド信号をろ波するように構成された第２ベースバンドフィルタと，
前記同相ベースバンド信号及び前記直交ベースバンド信号からＤＣオフセット誤差をおよそ除去するように構成されたＤＣオフセット除去モジュールと，
前記第１ベースバンドフィルタに接続された第３周波数変換モジュールと，
前記第２ベースバンドフィルタに接続された第４周波数変換モジュールと，
ＩＦ周波数に選択的に同調可能なプログラム可能ＩＦ ＬＯと，
位相偏移モジュールであって，前記プログラム可能ＩＦ ＬＯに接続され，同相ＩＦ ＬＯ信号及び直交ＩＦ ＬＯ信号を発生するように構成され，前記同相ベースバンド信号及び前記直交ベースバンド信号を同相出力ＩＦ信号及び直交ＩＦ信号に上方変換するために，同相ＩＦ ＬＯ信号を前記第３周波数変換モジュールに加え，かつ前記直交ＩＦ ＬＯ信号を前記第４周波数変換モジュールに加えるように構成した第２位相偏移モジュールと，
前記第３及び第４周波数変換モジュールに接続され，前記同相出力ＩＦ信号と前記直交出力ＩＦ信号とを結合して複合出力ＩＦ信号にするように構成された信号結合器と，
前記同相ベースバンド信号と前記直交ベースバンド信号との利得差を減少させるように構成された較正モジュールと，
を備えるプログラム可能受信器。
【請求項２】
前記ＲＦ入力と前記第１及び第２周波数変換モジュールとの間に挿入され，前記ＲＦ入力を前記第１及び第２周波数変換モジュールから選択的に切り離すように構成されたスイッチを更に備える請求項１に記載の受信器。
【請求項３】
前記ＤＣオフセット除去モジュールの較正期間中，前記スイッチが前記ＲＦ入力を切り離すように構成する請求項２に記載の受信器。
【請求項４】
前記ＲＦ信号がＲＦテレビ信号を含む請求項１に記載の受信器。
【請求項５】
前記ＲＦ ＬＯを所望のＲＦチャネル周波数のおよそ４倍の周波数に選択的に同調させ，第１位相偏移器が前記ＲＦ ＬＯ信号を４分周するように構成された４分周器を備え，該４分周器を用いて前記同相ＲＦ ＬＯ信号及び前記直交ＲＦ ＬＯ信号を発生させる請求項１に記載の受信器。
【請求項６】
前記第１周波数変換モジュールの性能は，前記第２周波数変換モジュールの性能におよそ一致したものとする請求項１に記載の受信器。
【請求項７】
前記第１及び第２ベースバンドフィルタが，少なくとも部分的に前記受信器のモードに基づく帯域幅を持つプログラム可能帯域幅ローパスフィルタをそれぞれ含む請求項１に記載の受信器。
【請求項８】
前記第１ベースバンドフィルタの性能は，前記第２ベースバンドフィルタの性能におよそ一致したものとする請求項１に記載の受信器。
【請求項９】
前記ＤＣオフセット除去モジュールが，
前記同相及び直交ベースバンド信号内の静的ＤＣオフセット誤差をおよそ補償するように構成された静的ＤＣオフセット補正部と，
前記同相及び直交ベースバンド信号内の動的ＤＣオフセット誤差をおよそ補償するように構成された動的ＤＣオフセット補正部と，
を備える請求項１に記載の受信器。
【請求項１０】
前記静的ＤＣオフセット補正部が，
前記複合出力ＩＦ信号の一部に接続され，ＤＣオフセットスプリアス（ＤＣＯＳ）信号を得るために前記複合出力ＩＦ信号をろ波するように構成されたＩＦフィルタと，
前記ＩＦフィルタに接続され前記ＤＣＯＳ信号を増幅するように構成された増幅器と，
前記増幅器と前記第２位相偏移器からの前記直交ＩＦ ＬＯ信号とに接続され，前記ＤＣＯＳ信号を直交ＤＣオフセット誤差に周波数変換するように構成されたスプリアス周波数変換器と，
前記スプリアス周波数変換器に接続され，前記直交ＤＣオフセット誤差に基づいてデジタル補正出力を発生するように構成された検索モジュールと，
前記検索モジュールに接続された入力と，前記第２ベースバンドフィルタの出力に接続された出力とを備え，前記デジタル補正出力に基づいて直交ＤＣオフセット補正値を発生するように構成されたデジタル−アナログ変換器と，
を備える請求項９に記載の受信器。
【請求項１１】
前記静的ＤＣオフセット補正部が，
前記増幅器と，前記第２位相偏移器からの前記同相ＩＦ ＬＯ信号とに接続され，前記ＤＣＯＳ信号を同相ＤＣオフセット誤差に周波数変換するように構成された追加スプリアス周波数変換器と，
前記追加スプリアス周波数変換器に接続され，前記同相ＤＣオフセット誤差に基づいて同相デジタル補正出力を発生するように構成された同相検索モジュールと，
前記同相検索モジュールに接続された入力と，前記第１ベースバンドフィルタの出力に接続された出力とを備え，前記同相デジタル補正出力に基づいて同相ＤＣオフセット補正値を発生するように構成された同相デジタル−アナログ変換器と，
を備える請求項１０に記載の受信器。
【請求項１２】
前記ＩＦ ＬＯを所望の出力ＩＦ周波数のおよそ４倍の周波数に選択的に同調させ，第２位相偏移器が前記ＩＦ ＬＯ信号を４分周するように構成された４分周器を備え，該４分周器を用いて前記同相ＩＦ ＬＯ信号及び前記直交ＩＦ ＬＯ信号を発生させる請求項１に記載の受信器。
【請求項１３】
１つの集積回路上に実装した請求項１に記載の受信器。
【請求項１４】
プログラム可能受信器であって，
複数のチャネルを有する無線周波数（ＲＦ）信号を受信するように構成されたＲＦ入力と，
プログラム可能周波数ＲＦ局部発振器（ＬＯ）と，
前記ＲＦ入力に接続され，前記ＲＦ ＬＯを用いて所望のチャネルを前記ＲＦ信号から同相ベースバンド信号及び直交ベースバンド信号に下方変換するように構成された周波数下方変換モジュールと，
前記同相ベースバンド信号及び前記直交ベースバンド信号のそれぞれをろ波するように構成されたベースバンドモジュールと，
前記同相ベースバンド信号及び前記直交ベースバンド信号からＤＣオフセット誤差をおよそ除去するように構成されたＤＣオフセット除去モジュールと，
ＩＦ周波数に選択的に同調可能なプログラム可能ＩＦ ＬＯと，
前記ベースバンドモジュールに接続され，前記ＩＦ ＬＯを用いて前記同相ベースバンド信号及び前記直交ベースバンド信号を所望の同相出力ＩＦ信号及び直交出力ＩＦ信号に上方変換するように構成された周波数上方変換モジュールと，
前記周波数変換モジュールに接続され，前記同相出力ＩＦ信号と前記直交出力ＩＦ信号とを結合するように構成された信号結合器と，
前記同相ベースバンド信号と前記直交ベースバンド信号との利得差を減少させるように構成された較正モジュールと，
を備えるプログラム可能受信器。
【請求項１５】
複数のＲＦ信号からＲＦチャネルを受信する方法であって，
複数のＲＦ信号を受信するステップと，
前記ＲＦチャネルを同相ベースバンド信号及び直交ベースバンド信号に周波数変換するステップと，
同相ベースバンド信号経路において前記同相ベースバンド信号をろ波するステップと，
直交ベースバンド信号経路において前記直交ベースバンド信号をろ波するステップと，
前記同相ベースバンド信号経路から同相ＤＣオフセット誤差をおよそ除去するステップと，
前記直交ベースバンド信号経路から直交ＤＣオフセット誤差をおよそ除去するステップと，
前記同相ベースバンド信号を選択可能な同相出力ＩＦ信号に上方変換するステップと，
前記直交ベースバンド信号を選択可能な直交出力ＩＦ信号に上方変換するステップと，
前記同相出力ＩＦ信号を前記直交出力ＩＦ信号と結合するステップと，
前記同相ベースバンド信号経路と前記直交ベースバンド信号経路との利得差を減少させるステップと，
を有する方法。
【請求項１６】
前記ＲＦチャネルを周波数変換するステップが，
プログラム可能ＲＦ局部発振器（ＬＯ）を所望の周波数に同調させるステップと，
前記所望の周波数で同相ＲＦ ＬＯ信号及び直交ＲＦ ＬＯ信号を発生させるステップと，
前記ＲＦチャネルに対応する前記同相ベースバンド信号及び前記直交ベースバンド信号を生成するために，前記複数のＲＦ信号を前記同相ＲＦ ＬＯ信号及び前記直交ＲＦ ＬＯ信号と混合するステップと，
を有する請求項１５に記載の方法。
【請求項１７】
前記同相ベースバンド信号をろ波するステップが，動作モードに基づいて選択された帯域幅を用いて前記同相ベースバンド信号にローパスフィルタを施すステップを有する請求項１５に記載の方法。
【請求項１８】
前記同相ベースバンド信号をろ波するステップが，前記直交ベースバンド信号をろ波するように構成されたフィルタの性能におよそ一致する性能を持つフィルタを用いて，前記同相ベースバンド信号をろ波するステップを有する請求項１５に記載の方法。
【請求項１９】
前記同相ＤＣオフセット誤差をおよそ除去するステップが，
静的同相ＤＣオフセット誤差をおよそ除去するステップと，
動的同相ＤＣオフセット誤差をおよそ除去するステップと，
を有する請求項１５に記載の方法。
【請求項２０】
前記同相ベースバンド信号を上方変換するステップが，
プログラム可能ＩＦ ＬＯを所望のＩＦに同調させるステップと，
前記所望のＩＦから同相ＩＦ ＬＯ信号を発生させるステップと，
前記同相ベースバンド信号を上方変換するために，前記同相ベースバンド信号を前記同相ＩＦ ＬＯ信号と混合するステップと，
を有する請求項１５に記載の方法。
【請求項２１】
前記較正モジュールは，前記同相ベースバンド信号と前記直交ベースバンド信号との位相差を補正するように更に構成された請求項１に記載の受信器。
【請求項２２】
前記較正モジュールは，前記同相ベースバンド信号と前記直交ベースバンド信号との位相差を補正するように更に構成された請求項１４に記載の受信器。
【請求項２３】
前記同相ベースバンド信号経路と前記直交ベースバンド信号経路との位相差を補正するステップを更に有する請求項１５に記載の方法。
【手続補正２】
【補正対象書類名】明細書
【補正対象項目名】００３６
【補正方法】変更
【補正の内容】
【００３６】
第３混合器１５２は，第１及び第２混合器１１２及び１１４のためにＬＯ信号を発生するために用いられるのとほぼ同じ方法で発生されるプログラム可能ＬＯによって駆動することができる。プログラム可能ＩＦ ＬＯ１４０は，所望の出力ＩＦのおよそ４倍の信号を発生するように構成してもよい。ＩＦ ＬＯ１４０は，受信器１００がサポートするモードに部分的に基づいて出力ＩＦを選択できるようにプログラム可能にすることができる。例えば，受信器１００は，受信器１００を備えるシステムをユーザが構成する方法に依存する予め定められたＩＦに，入力信号を周波数変換するように構成してもよい。例えば，テレビ信号のためのセットトップボックスは，７０ＭＨｚ又はテレビチャネルに対応する周波数のような，予め定められたＩＦで出力信号を発生するように構成してもよい。